(57)【要約】【課題】部品点数および組み立て工数が削減されるスイッチの作動機構を提供する。【解決手段】並設された複数のスイッチ２、２の作動部に対応して夫々配置される複数の作動棒６ａ、６ａをリブ６ｂで繋げて一体化されたスイッチ作動部材６を形成し、前記複数の作動棒６ａ、６ａを押圧するつまみ５をフロントケース３に支持させ、フロントケース３に設けられた爪３ｂによりリブ６ｂを支持させた。【選択図】        図１
2005327598.tif 000002
【特許請求の範囲】
【請求項１】
並設された複数のスイッチの作動部に対応して夫々配置される複数の作動棒をリブで繋げて一体化されたスイッチ作動部材を形成し、前記複数の作動棒を押圧するつまみをフロントケースに支持させ、前記フロントケースに設けられた爪により前記リブを支持させたことを特徴とするスイッチの作動機構。
【請求項２】
前記リブがループ状に形成されていることを特徴とする請求項１のスイッチの作動機構。
【請求項３】
前記爪により前記複数の作動棒を前記リブの弾力で前記つまみに圧接させたことを特徴とする請求項１または２のスイッチの作動機構。
【請求項４】
前記複数のスイッチがプリント基板に付設されている請求項１から３のいずれかに記載されたスイッチの作動機構。
【請求項５】
前記つまみがシーソつまみである請求項１から４のいずれかに記載されたスイッチの作動機構。
【発明の詳細な説明】
【技術分野】
【０００１】
この発明は電子機器に係わり、特に、そのスイッチの作動機構に関する。
【背景技術】
【０００２】
従来、スイッチが固定されたプリント基板から距離の遠い場所につまみが配置される場合（例えば、プリント基板に高さの高い部品が取り付けられる場合等）には図５に示すようなスイッチの作動機構が用いられていた。図５に示すプリント基板１にはタクトスイッチ２、２が並設されている。
【０００３】
フロントケース３にはシーソつまみ５がそれと一体の軸５ａを介して回動自在に取り付けられている。シーソつまみ５の周縁はパネルエスカッション４に覆われ、パネルエスカッション４の穴からシーソつまみ５が突出している。タクトスイッチ２、２とシーソつまみ５との間に配置された作動棒１０、１０はフロントケース３の作動棒支持部３ａの穴に上下動自在に嵌合している。
【０００４】
上記構成において、シーソつまみ５の右側を押すと、シーソつまみ５は右側が下がるように回動し、右側の作動棒１０を介して右側のタクトスイッチ２が作動される。また、シーソつまみ５の左側を押すと、シーソつまみ５は左側が下がるように回動し、左側の作動棒１０を介して左側のタクトスイッチ２が作動される。
【０００５】
上記した従来のスイッチの作動機構は、スイッチ１つ１つに作動棒が必要であり、作動させるスイッチが多いと部品点数および組み立て工数が増えるという問題があった。また、部品寸法のばらつきを考慮すると作動棒１０とタクトスイッチ２とのクリアランス（図５におけるｂ）をなくすことができず、そのクリアランスのために異音が発生することがあった。
【０００６】
さらに、作動棒１０とシーソつまみ５との間にもクリアランス（図５におけるａ）が発生し、シーソつまみ５のガタツキをなくす手段が必要となり構造が複雑となっていた。
【０００７】
さらに、作動棒１０と作動棒支持部３ａとの嵌合長さ（図５におけるｃ）が短いと、作動棒１０の動きが不安定となり、シーソつまみ５を操作するときの感触が悪くなるという問題が発生する。
【０００８】
図６に示す従来のスイッチ作動機構では図５で説明したスイッチ作動機構のタクトスイッチ２、２の代わりにゴムスイッチ１１、１１が用いられている。他の構成は図５で説明したものと同様である。ゴムスイッチ１１、１１は椀状のゴムの底に付けられた導電部１１ａ、１１ａがプリント基板の接点に押しつけられることにより接点間が導通する。
【０００９】
このスイッチ作動機構ではゴムの弾性により作動棒１０、１０をシーソつまみ５に圧接してクリアランスをなくすことができる。しかしながら、部品点数および組み立て工数が増えるという問題は解消されていない。また、従来のゴムスイッチ構造ではストロークを０．２〜０．５ｍｍ程度に小さくすることは極めて困難であり、ショートストロークにしなければならないときはゴムスイッチ構造を用いることはできなかった。
【００１０】
実開平７−１８３３２号公報に提案されたシーソ式スイッチは図６に示すスイッチ作動機構と同様にゴムスイッチの数だけ作動棒（押圧体と称している）が使用されているので部品点数および組み立て工数が増えるという問題があった。
【特許文献１】実開平７−１８３３２号公報、要約、図１
【発明の開示】
【発明が解決しようとする課題】
【００１１】
この発明は上記した点に鑑みてなされたものであって、その目的とするところは、部品点数および組み立て工数が削減されるスイッチの作動機構を提供することにある。この発明の他の目的は簡単な構成でつまみのガタツキをなくすことが可能なスイッチの作動機構を提供することである。
【課題を解決するための手段】
【００１２】
この発明のスイッチの作動機構は、並設された複数のスイッチの作動部に対応して夫々配置される複数の作動棒をリブで繋げて一体化されたスイッチ作動部材を形成し、前記複数の作動棒を押圧するつまみをフロントケースに支持させ、前記フロントケースに設けられた爪により前記リブを支持させたものである。
【００１３】
また、前記スイッチの作動機構において、前記リブがループ状に形成されているものである。
【００１４】
また、前記各スイッチの作動機構において、前記爪により前記複数の作動棒を前記リブの弾力で前記つまみに圧接させたものである。
【００１５】
また、前記各スイッチの作動機構において、前記複数のスイッチがプリント基板に付設されているものである。
【００１６】
さらに、前記各スイッチの作動機構において、前記つまみをシーソつまみとしたものである。
【発明の効果】
【００１７】
この発明のスイッチの作動機構によれば、作動棒がリブで繋げられて一体化されているため、部品点数および組み立て工数が削減される。
【００１８】
また、作動棒はリブの弾力によりつまみに圧接されているため、つまみおよび作動棒のガタツキを簡単に除去できる。
【００１９】
さらに、作動棒が短い場合でもリブで安定状態に支持されているため、感触不良やスタック（ロック状態）が防止される。
【発明を実施するための最良の形態】
【００２０】
以下この発明を実施するための最良の形態を実施例に即して説明する。
【実施例１】
【００２１】
図１（ａ）はこの発明の実施例１であるスイッチの作動機構を示す断面図、図１（ｂ）は同スイッチの作動機構の部材を示す斜視図、図２は図１（ａ）におけるＡ方向矢視図である。
【００２２】
図１（ａ）において、プリント基板１にはタクトスイッチ２、２が並設されている。フロントケース３にはシーソつまみ５がそれと一体の軸５ａを介して回動自在に取り付けられている。シーソつまみ５の周縁はパネルエスカッション４に覆われ、パネルエスカッション４の穴からシーソつまみ５が突出している。
【００２３】
タクトスイッチ２、２の夫々の作動部とシーソつまみ５との間にスイッチ作動部材６の作動棒６ａ、６ａが配置されて、フロントケース３の作動棒支持部３ａの穴に上下動自在に嵌合している。スイッチ作動部材６の形状は図１（ｂ）に示されている。すなわち、スイッチ作動部材６は、作動棒６ａ、６ａがロ字形のリブ６ｂで繋げられて一体化された形状である。
【００２４】
このスイッチ作動部材６のリブ６ｂは図２にも示されているようにフロントケース３の爪３ｂ、３ｂに係止されている。そして、爪３ｂ、３ｂはリブ６ｂを図１（ａ）および（ｂ）における上方に押圧している。このリブ６ｂの弾力により作動棒６ａ、６ａはシーソつまみ５の下面に圧接されシーソつまみ５のガタツキが除去されている。
【００２５】
上記構成において、シーソつまみ５の右側を押すと、シーソつまみ５は右側が下がるように回動し、右側の作動棒６ａはリブ６ｂの弾力に抗して下動し右側のタクトスイッチ２が作動される。また、シーソつまみ５の左側を押すと、シーソつまみ５は左側が下がるように回動し、左側の作動棒６ａはリブ６ｂの弾力に抗して下動し左側のタクトスイッチ２が作動される。
【００２６】
この例では作動棒６ａ、６ａはリブ６ｂの弾力によりシーソつまみ５に圧接されており、ガタツキがないため異音が発生しない。そして、リブ６ｂはロ字形のループ状であるため大きい弾力が得られる。また、作動棒６ａ、６ａがリブ６ｂで繋げられて一体化されているため、部品点数および組み立て工数が削減される。
【実施例２】
【００２７】
図３はこの発明の実施例２であるスイッチの作動機構に用いられるスイッチ作動部材を示す斜視図である。図４に示すようにスイッチ作動部材７は４個の作動棒７ａ、７ａ…が分岐を有するリブ７（ｂ）により一体に繋げられて形成されている。
【００２８】
作動棒７ａ、７ａ…は実施例１と同様にスイッチとつまみの間に配置され、リブ７（ｂ）の弾力によりつまみに圧接される。この例では１個のスイッチ作動部材によりさらに多くのスイッチを作動させることができる。
【実施例３】
【００２９】
図４はこの発明の実施例３であるスイッチの作動機構に用いられるスイッチ作動部材を示す斜視図である。図５に示すようにスイッチ作動部材８は４個の作動棒８ａ、８ａ…が分岐を有するリブ８（ｂ）により一体に繋げられて形成されている。リブ８（ｂ）には屈曲部８（ｃ）、８（ｃ）…が形成されている。
【００３０】
作動棒８ａ、８ａ…は実施例１と同様にスイッチとつまみの間に配置され、リブ８（ｂ）の弾力によりつまみに圧接される。この例では１個のスイッチ作動部材によりさらに多くのスイッチを作動させることができるが、さらに、リブ８（ｂ）の可撓性が屈曲部８（ｃ）、８（ｃ）…により高められるので作動棒８ａ、８ａ…押すつまみの感触をよくすることができる。
【００３１】
実施例は以上のように構成されているが、この発明をタクトスイッチの代わりに、ゴムスイッチの作動機構に適用ではることは勿論である。
【図面の簡単な説明】
【００３２】
【図１】図１（ａ）はこの発明の実施例１であるスイッチの作動機構を示す断面図、図１（ｂ）は同スイッチの作動機構の部材を示す斜視図である。
【図２】図１（ａ）におけるＡ方向矢視図である。
【図３】この発明の実施例２であるスイッチの作動機構の部材を示す斜視図である。
【図４】である。
【００３３】
この発明の実施例３であるスイッチの作動機構の部材を示す斜視図である。
【図５】従来のスイッチの作動機構の例を示す断面図である。
【図６】従来のスイッチの作動機構の他の例を示す断面図である。
【符号の説明】
【００３４】
１  プリント基板
２  タクトスイッチ
３  フロントケース、３ａ  作動棒支持部、３ｂ  爪
４  パネルエスカッション
５  シーソつまみ、５ａ  軸
６  スイッチ作動部材、６ａ  作動棒、６ｂ  リブ
７  スイッチ作動部材、７ａ  作動棒、７ｂ  リブ
８  スイッチ作動部材、８ａ  作動棒、８ｂ  リブ、８ｃ  屈曲部
１０  作動棒
１１  ゴムスイッチ、１１ａ  導電部
【図１】
2005327598.tif 000003
【図２】
2005327598.tif 000004
【図３】
2005327598.tif 000005
【図４】
2005327598.tif 000006
【図５】
2005327598.tif 000007
【図６】
2005327598.tif 000008